(57)【特許請求の範囲】
【請求項１】
巻上ロープを上下動させるプーリ軸と、
前記プーリ軸と連動して回転するブレーキディスクと、
前記ブレーキディスクに圧接して前記プーリ軸の回転を制動するブレーキパッドを有するキャリパユニットと、を含み、
前記キャリパユニットは、前記ブレーキパッドを前記ブレーキディスクに接離するために支持ピンにスライド可能に支持され、
この支持ピンはエレベータ用巻上機の機台に固定されている、
エレベータ用巻上機において、
前記キャリパユニットの前記支持ピンを前記機台から引き出す支持ピン引き出し治具であって、
前記支持ピンの一端に設けられた雌ねじと、
前記雌ねじに先端がネジ固定可能な引き出しネジ軸と、
前記支持ピンの周辺に配置された前記機台の一部に底面が当接し、上面に引き出しネジ軸がネジ結合される支持体と、を含み、
前記引き出しネジ軸に螺合する蝶ネジを有し、
前記引き出しネジ軸の先端を雌ねじにネジ固定すると共に、前記支持ピンを押圧するように前記蝶ネジをねじ込んで、前記引き出しネジ軸の先端を前記支持ピンに一体固定した状態で引き出しネジ軸を回転することによって前記支持ピンを前記機台から引き出す支持ピン引き出し治具。
【請求項２】
巻上ロープを上下動させるプーリ軸と、
前記プーリ軸と連動して回転するブレーキディスクと、
前記ブレーキディスクに圧接して前記プーリ軸の回転を制動するブレーキパッドを有するキャリパユニットと、を含み、
前記キャリパユニットは、前記ブレーキパッドを前記ブレーキディスクに接離するために支持ピンにスライド可能に支持され、
この支持ピンはエレベータ用巻上機の機台に固定されている、
エレベータ用巻上機において、
前記キャリパユニットの前記支持ピンを前記機台から引き出す支持ピン引き出し治具であって、
前記支持ピンの一端に設けられた雌ねじと、
前記雌ねじに先端がネジ固定可能な引き出しネジ軸と、
前記支持ピンの周辺に配置された前記機台の一部に底面が当接し、引き出しネジ軸を軸方向に移動させる引き出し機構が上面に取り付けられた支持体と、を含み、
前記引き出しネジ軸の先端を雌ねじにネジ固定した状態で、前記引き出し機構によって前記支持ピンを前記機台から引き出し、
前記引き出し機構は、前記引き出しネジ軸が挿通されたねじ孔が中央部に設けられたベース板と、前記ベース板の両端に一端がそれぞれ回転自在に連結された一対の引き出しアームとを有し、
前記ベース板は、軸方向に移動可能に前記引き出しネジ軸に螺合されており、前記引き出しネジ軸を回転させることで前記支持体に接近または離間させることができ、
前記ベース板は、前記引き出しネジ軸に螺合されたナットを前記ベース板に当接する方向に締め付けて共締めすることにより、前記引き出しネジ軸に固定できて、前記引き出しネジ軸に対する前記ベース板の位置を調整でき、
前記引き出しアームは、回転可能に連結されたリンクを介して前記支持体の上端部の端面に回転自在に連結され、
前記一対の引き出しアームの夫々の先端部には、グリップが取り付けられている、支持ピン引き出し治具。
【請求項３】
巻上ロープを上下動させるプーリ軸と、
前記プーリ軸と連動して回転するブレーキディスクと、
前記ブレーキディスクに圧接して前記プーリ軸の回転を制動するブレーキパッドを有するキャリパユニットと、を含み、
前記キャリパユニットは、前記ブレーキパッドを前記ブレーキディスクに接離するために支持ピンにスライド可能に支持され、
この支持ピンはエレベータ用巻上機の機台に固定されている、
エレベータ用巻上機において、
前記キャリパユニットの前記支持ピンを前記機台から引き出す支持ピン引き出し治具であって、
前記支持ピンの一端に設けられた雌ねじと、
前記雌ねじに先端がネジ固定可能に形成され、長手方向に沿って歯列が設けられた引き出しラックと、
前記支持ピンの周辺に配置された前記機台の一部に底面が当接し、前記引き出しラックを長手方向にスライド移動可能に支持するとともに、前記引き出しラックの前記歯列に噛み合うピニオンを有し、当該ピニオンを介して前記引き出しラックをスライド移動させる回転機構を有する支持体と、を含み、
前記引き出しラックの先端を前記雌ねじにネジ固定した状態で、前記回転機構によって前記引き出しラックを長手方向に沿ってスライド移動させて前記支持ピンを前記機台から引き出し、
前記支持体は、上面を構成する側板を有し、
前記側板には、ガイド用の突出部を有する略矩形状の挿通孔が設けられる一方、前記ラックには、長手方向に沿ってスライド溝が両側面に設けられ、
前記スライド溝が前記突出部に係合することによって長手方向に移動可能に前記側板に支持され、
前記回転機構は、回転可能に支持された前記ピニオン、および前記ピニオンの回転軸に固定された回転用ハンドルからなる、支持ピン引き出し治具。
【請求項４】
巻上ロープを上下動させるプーリ軸と、
前記プーリ軸と連動して回転するブレーキディスクと、
前記ブレーキディスクに圧接して前記プーリ軸の回転を制動するブレーキパッドを有するキャリパユニットと、を含み、
前記キャリパユニットは、前記ブレーキパッドを前記ブレーキディスクに接離するために支持ピンにスライド可能に支持され、
この支持ピンはエレベータ用巻上機の機台に固定されている、
エレベータ用巻上機において、
前記キャリパユニットの前記支持ピンを前記機台から引き出す支持ピン引き出し治具であって、
前記支持ピンの一端に設けられた雌ねじと、
前記雌ねじに先端がネジ固定可能な引き出しネジ軸と、
前記支持ピンの周辺に配置された前記機台の一部に底面が当接し、上面に引き出しネジ軸がネジ結合される支持体と、を含み、
前記引き出しネジ軸の先端を雌ねじにネジ固定した状態で引き出しネジ軸を回転することによって前記支持ピンを前記機台から引き出し、
前記支持体は、有底筒状の支持部材と、前記支持部材よりも外径が小さい有底筒状の筒状部とから構成され、
前記支持部材は、上面の軸中心を貫通する貫通孔が設けられる一方、前記筒状部は、上面の軸中心を貫通するねじ孔が設けられ、
前記引き出しネジ軸は、前記支持部材の前記貫通孔に挿通された状態で前記筒状部の前記ねじ孔に螺合されている、支持ピン引き出し治具。
【請求項５】
巻上ロープを上下動させるプーリ軸と、
前記プーリ軸と連動して回転するブレーキディスクと、
前記ブレーキディスクに圧接して前記プーリ軸の回転を制動するブレーキパッドを有するキャリパユニットと、を含み、
前記キャリパユニットは、前記ブレーキパッドを前記ブレーキディスクに接離するために支持ピンにスライド可能に支持され、
この支持ピンはエレベータ用巻上機の機台に固定されている、
エレベータ用巻上機において、
前記キャリパユニットの前記支持ピンを前記機台から引き出す支持ピン引き出し治具であって、
前記支持ピンの一端に設けられた雌ねじと、
前記雌ねじに先端がネジ固定可能な引き出しネジ軸と、
前記支持ピンの周辺に配置された前記機台の一部に底面が当接し、引き出しネジ軸を軸方向に移動させる引き出し機構が上面に取り付けられた支持体と、を含み、
前記引き出しネジ軸の先端を雌ねじにネジ固定した状態で、前記引き出し機構によって前記支持ピンを前記機台から引き出し、
前記引き出し機構は、引き出しアームと、前記引き出しアームを回転可能に支持する回転支持部とを有し、
前記引き出しアームには、回転軸を介して係止爪が回転可能に取り付けられ、
前記回転軸には、一端が前記引き出しアームの突出部に係止され、他端が前記係止爪の突起部に係止されたバネが軸支され、
前記係止爪は、前記バネによって前記引き出しネジ軸の方に常に付勢され、
前記引き出しアームには、前記係止爪が付勢されて回転する方向にストッパーとして機能する突起が設けられ、
前記引き出しネジ軸における棒状部における前記係止爪と対向する位置には、前記係止爪と噛み合うように歯列が軸方向に沿って設けられている、支持ピン引き出し治具。
【発明の詳細な説明】
【技術分野】
【０００１】
本発明は、エレベータ用巻上機の機台からキャリパユニットを支持している支持ピンを引き出す治具、特に、ネジ軸を用いて支持ピンを引き出す治具に関する。
【背景技術】
【０００２】
エレベータ用巻上機の制動機構には、巻上機のプーリ軸に固定されたブレーキディスクと、当該ディスクに圧接するように配置されたブレーキパッドを含むキャリパユニットとによって当該プーリ軸に制動力を作用させるものがある。
【０００３】
このような制動機構では、キャリパユニットは支持ピンを介して巻上機の機台にスライド可能に支持されており、キャリパユニットがブレーキディスクの厚み方向にスライドすることでブレーキパッドがブレーキディクスに対して接離するように構成されている。
【０００４】
特許文献１には、キャリパユニット両端を支持する支持ピンを当該ピンの軸方向と垂直な方向に変位可能に支持する変位機構を設け、巻上機の機台が駆動モータの排熱によって熱膨張しても当該ピンの軸間距離を維持できるようにすることでキャリパユニットのスライド移動に支障がでないようにした巻上機の制動機構が開示されている。
【先行技術文献】
【特許文献】
【０００５】
【特許文献１】特開２０１５‐１５５３４８号公報
【発明の概要】
【発明が解決しようとする課題】
【０００６】
ところで、上述したキャリパユニットの支持ピンは、定期的にキャリパユニットから引き抜いて洗浄やグリスの再塗布を行う必要がある。また、制動時にキャリパユニットがガタつかないようにする必要があるため、キャリパユニットの支持ピンは巻上機の機台に設けられた取付用孔に堅く固定されている。このため、保守点検時に、巻上機の機台からキャリパユニットの支持ピンを引き出すのに大変な手間を要する場合があり問題であった。
【０００７】
本発明の目的は、巻上機の機台からキャリパユニットの支持ピンを簡単に引き出すことができる支持ピン引き出し治具を提供することにある。
【課題を解決するための手段】
【０００８】
本発明の一態様に係る支持ピン引き出し治具は、巻き上げロープを上下動させるプーリ軸と、プーリ軸と連動して回転するブレーキディスクと、ブレーキディスクに圧接してプーリ軸の回転を制動するブレーキパッドを有するキャリパユニットと、を含み、キャリパユニットは、ブレーキパッドをブレーキディスクに接離するために支持ピンにスライド可能に支持され、この支持ピンはエレベータ用巻上機の機台に固定されているエレベータ用巻上機において、キャリパユニットの支持ピンを機台から引き出す支持ピン引き出し治具であって、支持ピンの一端に設けられた雌ねじと、雌ねじに先端がネジ固定可能な引き出しネジ軸と、支持ピンの周辺に配置された機台の一部に底面が当接し、上面に引き出しネジ軸がネジ結合される支持体と、を含み、引き出しネジ軸に螺合する蝶ネジを有し、引き出しネジ軸の先端を雌ねじにネジ固定すると共に、支持ピンを押圧するように蝶ネジをねじ込んで、引き出しネジ軸の先端を支持ピンに一体固定した状態で引き出しネジ軸を回転することによって支持ピンを機台から引き出すものである。
【０００９】
本発明の別の態様に係る支持ピン引き出し治具は、巻き上げロープを上下動させるプーリ軸と、プーリ軸と連動して回転するブレーキディスクと、ブレーキディスクに圧接してプーリ軸の回転を制動するブレーキパッドを有するキャリパユニットと、を含み、キャリパユニットは、ブレーキパッドをブレーキディスクに接離するために支持ピンにスライド可能に支持され、この支持ピンはエレベータ用巻上機の機台に固定されている、エレベータ用巻上機において、キャリパユニットの支持ピンを機台から引き出す支持ピン引き出し治具であって、支持ピンの一端に設けられた雌ねじと、雌ねじに先端がネジ固定可能な引き出しネジ軸と、支持ピンの周辺に配置された機台の一部に底面が当接し、引き出しネジ軸を軸方向に移動させる引き出し機構が上面に取り付けられた支持体と、を含み、引き出しネジ軸の先端を雌ねじにネジ固定した状態で、引き出し機構によって支持ピンを機台から引き出し、引き出し機構は、引き出しネジ軸が挿通されたねじ孔が中央部に設けられたベース板と、ベース板の両端に一端がそれぞれ回転自在に連結された一対の引き出しアームとを有し、ベース板は、軸方向に移動可能に引き出しネジ軸に螺合されており、引き出しネジ軸を回転させることで支持体に接近または離間させることができ、ベース板は、引き出しネジ軸に螺合されたナットをベース板に当接する方向に締め付けて共締めすることにより、引き出しネジ軸に固定できて、引き出しネジ軸に対するベース板の位置を調整でき、引き出しアームは、回転可能に連結されたリンクを介して支持体の上端部の端面に回転自在に連結され、一対の引き出しアームの夫々の先端部には、グリップが取り付けられている。
【００１０】
本発明の別の態様に係る支持ピン引き出し治具は、巻上ロープを上下動させるプーリ軸と、プーリ軸と連動して回転するブレーキディスクと、ブレーキディスクに圧接してプーリ軸の回転を制動するブレーキパッドを有するキャリパユニットと、を含み、キャリパユニットは、ブレーキパッドをブレーキディスクに接離するために支持ピンにスライド可能に支持され、この支持ピンはエレベータ用巻上機の機台に固定されている、エレベータ用巻上機において、キャリパユニットの支持ピンを機台から引き出す支持ピン引き出し治具であって、支持ピンの一端に設けられた雌ねじと、雌ねじに先端がネジ固定可能に形成され、長手方向に沿って歯列が設けられた引き出しラックと、支持ピンの周辺に配置された機台の一部に底面が当接し、引き出しラックを長手方向にスライド移動可能に支持するとともに、引き出しラックの歯列に噛み合うピニオンを有し、ピニオンを介して引き出しラックをスライド移動させる回転機構を有する支持体と、を含み、引き出しラックの先端を雌ねじにネジ固定した状態で、回転機構によって引き出しラックを長手方向に沿ってスライド移動させて支持ピンを機台から引き出し、支持体は、上面を構成する側板を有し、側板には、ガイド用の突出部を有する略矩形状の挿通孔が設けられる一方、ラックには、長手方向に沿ってスライド溝が両側面に設けられ、スライド溝が突出部に係合することによって長手方向に移動可能に側板に支持され、回転機構は、回転可能に支持されたピニオン、およびピニオンの回転軸に固定された回転用ハンドルからなる。
また、本発明の別の態様に係る支持ピン引き出し治具は、巻上ロープを上下動させるプーリ軸と、プーリ軸と連動して回転するブレーキディスクと、ブレーキディスクに圧接してプーリ軸の回転を制動するブレーキパッドを有するキャリパユニットと、を含み、キャリパユニットは、ブレーキパッドをブレーキディスクに接離するために支持ピンにスライド可能に支持され、この支持ピンはエレベータ用巻上機の機台に固定されている、エレベータ用巻上機において、キャリパユニットの支持ピンを機台から引き出す支持ピン引き出し治具であって、支持ピンの一端に設けられた雌ねじと、雌ねじに先端がネジ固定可能な引き出しネジ軸と、支持ピンの周辺に配置された機台の一部に底面が当接し、上面に引き出しネジ軸がネジ結合される支持体と、を含み、引き出しネジ軸の先端を雌ねじにネジ固定した状態で引き出しネジ軸を回転することによって支持ピンを機台から引き出し、支持体は、有底筒状の支持部材と、支持部材よりも外径が小さい有底筒状の筒状部とから構成され、支持部材は、上面の軸中心を貫通する貫通孔が設けられる一方、筒状部は、上面の軸中心を貫通するねじ孔が設けられ、引き出しネジ軸は、支持部材の貫通孔に挿通された状態で筒状部のねじ孔に螺合されている。
また、本発明の別の態様に係る支持ピン引き出し治具は、巻上ロープを上下動させるプーリ軸と、プーリ軸と連動して回転するブレーキディスクと、ブレーキディスクに圧接してプーリ軸の回転を制動するブレーキパッドを有するキャリパユニットと、を含み、キャリパユニットは、ブレーキパッドをブレーキディスクに接離するために支持ピンにスライド可能に支持され、この支持ピンはエレベータ用巻上機の機台に固定されている、エレベータ用巻上機において、キャリパユニットの支持ピンを機台から引き出す支持ピン引き出し治具であって、支持ピンの一端に設けられた雌ねじと、雌ねじに先端がネジ固定可能な引き出しネジ軸と、支持ピンの周辺に配置された機台の一部に底面が当接し、引き出しネジ軸を軸方向に移動させる引き出し機構が上面に取り付けられた支持体と、を含み、引き出しネジ軸の先端を雌ねじにネジ固定した状態で、引き出し機構によって支持ピンを機台から引き出し、引き出し機構は、引き出しアームと、引き出しアームを回転可能に支持する回転支持部とを有し、引き出しアームには、回転軸を介して係止爪が回転可能に取り付けられ、回転軸には、一端が引き出しアームの突出部に係止され、他端が係止爪の突起部に係止されたバネが軸支され、係止爪は、バネによって引き出しネジ軸の方に常に付勢され、引き出しアームには、係止爪が付勢されて回転する方向にストッパーとして機能する突起が設けられ、引き出しネジ軸における棒状部における係止爪と対向する位置には、係止爪と噛み合うように歯列が軸方向に沿って設けられている。
【発明の効果】
【００１１】
本発明の一態様に係る支持ピン引き出し治具によれば、引き出しネジ軸の先端を雌ねじにネジ固定した状態で、引き出しネジ軸を回転することによって支持ピンを機台から引き出すことができる。このため、巻上機の機台からキャリパユニットの支持ピンを簡単に引き出すことができる。
【００１２】
本発明の別の態様に係る支持ピン引き出し治具によれば、引き出しネジ軸の先端を雌ねじにネジ固定した状態で、引き出し機構によって引き出しネジ軸を軸方向に移動させることにより支持ピンを機台から引き出すことができる。このため、巻上機の機台からキャリパユニットの支持ピンを簡単に引き出すことができる。
【００１３】
本発明の別の態様に係る支持ピン引き出し治具によれば、引き出しラックの先端を雌ねじにネジ固定した状態で、回転機構によって引き出しラックを長手方向に沿ってスライド移動させることにより支持ピンを機台から引き出すことができる。このため、巻上機の機台からキャリパユニットの支持ピンを簡単に引き出すことができる。
【図面の簡単な説明】
【００１４】
【図１】本発明の第１実施形態である支持ピン引き出し治具が適用されるブレーキキャリパを含む巻上機の正面図である。
【図２】図１に示す巻上機の側面図である。
【図３】図２に含まれるキャリパユニットの制動時の構成を示す部分拡大図である。
【図４】図２に含まれるキャリパユニットの非制動時の構成を示す部分拡大図である。
【図５】本発明の第１実施形態である支持ピン引き出し治具の斜視図である。
【図６】図６（ａ）は機台の取付用孔に挿通固定されている支持ピンに引き出し治具を取り付けた状態を示す図であり、図６（ｂ）は図６（ａ）と同様に引き出し治具によって支持ピンを引き出す途中の状態を示す図である。
【図７】本発明における第１実施形態の変形例である引き出し治具の断面図である。
【図８】本発明の第２実施形態である支持ピン引き出し治具の断面構成図である。
【図９】本発明における第２実施形態の変形例である引き出し治具を示す図である。
【図１０】図９に示す引き出しアームおよび引き出し軸の構成を示す部分拡大図である。
【図１１】本発明の第３実施形態である支持ピン引き出し治具の構成を示す図である。
【発明を実施するための形態】
【００１５】
以下に、本発明の実施形態について添付図面を参照しながら詳細に説明する。この説明において、具体的な形状、材料、数値、方向等は、本発明の理解を容易にするための例示であって、用途、目的、仕様等にあわせて適宜変更することができる。また、以下において複数の実施形態や変形例などが含まれる場合、それらの特徴部分を適宜に組み合わせて用いることは当初から想定されている。
【００１６】
図１は、第１実施形態の支持ピン引き出し治具４０が適用されるキャリパユニット２０，２１を含む巻上機１０の正面図である。図２は、図１に示す巻上機１０の側面図である。図１では、巻上ロープの図示を省略している。
【００１７】
図１及び図２に示すように、巻上機１０は、エレベータ昇降路の直上の機械室Ｒに設置されており、図示しない乗りかごを昇降させる機能を有している。巻上機１０は、巻上ロープを上下動させる綱車１８を軸支するプーリ軸１２と、プーリ軸１２に連動して回転するブレーキディスク１９と、ブレーキディスク１９に制動力を作用させるキャリパユニット２０，２１とを含んでいる。
【００１８】
図２に示すように、プーリ軸１２は、鋼材１５の上面に立設した機台１６，１７によって両端側を回転支持されている。プーリ軸１２は、機台１６に支持された駆動用モータＭの駆動力を巻上ロープが架け渡された綱車１８に伝達する役割を有している。機台１７は、キャリパユニット２０を支持する支持部１７ａ，１７ｂと、キャリパユニット２１を支持する支持部１７ｃ，１７ｄと、をＹ軸方向の両端にそれぞれ有している。綱車１８は、プーリ軸１２を介して機台１７に回転支持されており、機台１６を間に挟んで駆動用モータＭと対向するように配置されている。ブレーキディスク１９は、略環状に形成されており、綱車１８の側面にボルト等を介して固定されている。
【００１９】
続いて、図３および図４を参照しつつキャリパユニット２０の構成について説明する。図３は、図２に示すキャリパユニット２０の制動時における動作状態を示す部分拡大図である。図４は、図３と同様に、キャリパユニット２０の非制動時における動作状態を示す部分拡大図である。キャリパユニット２０，２１は同一の構成を備えるため、以下においてキャリパユニット２０についてのみ説明するものとする。
【００２０】
図３および図４に示すように、キャリパユニット２０は、ブレーキディスク１９の両側にブレーキパッド２２，２３を押しつけて制動する。一方のブレーキパッド２２は、キャリパユニット２０の中で、バネ付勢力と電磁吸引力によってブレーキディスク１９に対して接離する。他方のブレーキパッド２３は、キャリパユニット２０に固定されており、キャリパユニット２０がブレーキディスク１９に対して全体として移動することで、ブレーキディスク１９に対して接離する。このため、キャリパユニット２０は、機台１７に固定された支持ピン３５，３６に摺動可能である。
【００２１】
キャリパユニット２０は、支持ピン３５，３６に摺動するユニットベース２４と、このベース２４に固定され、他方のブレーキパッド２３を固定するブリッジ２５とを含んでいる。ユニットベース２４は、Ｘ軸方向から見て略円盤状に形成され、上下にフランジ部２４ａ，２４ｂを有している。フランジ部２４ａには、支持ピン３５を挿通するためのスライド支持孔Ｈ２が設けられている。フランジ部２４ｂについては、フランジ部２４ａと同様の構成であるため説明を省略する。
【００２２】
一方のブレーキパッド２２は、アーマチュア２６に突出部２６ａを介して固定され、アーマチュア２６はユニットベース２４に軸支されブレーキディスク１９に対してブレーキパッド２２を接離可能である。ユニットベース２４には、励磁コイル２７が埋め込まれ、コイル２７の励磁によってアーマチュア２６が引きつけられ、図４のＣ方向に移動してブレーキパッド２２をブレーキディスク１９から離す。
【００２３】
このとき、他方のブレーキパッド２３は、ブリッジ２５に突出部２５ａを介して固定されており、ユニットベース２４を含むキャリパユニット２０全体が図４のＤ方向に移動することでブレーキディスク１９から離れる。すなわち、隙間調整ボルト２８ｂが、支持部１７ｂのボルト固定用ねじ孔Ｈ３に螺合された状態で、フランジ部２４ｂの挿通孔Ｈ４に差し込まれ、隙間調整バネ２８ａを圧縮状態に保持している。このため、キャリパユニット２０は、隙間調整バネ２８ａによって、図４のＤ方向に、常時、付勢されている。
【００２４】
従って、一方のブレーキパッド２２が図４のＣ方向に移動してブレーキディスク１９から離れると、隙間調整バネ２８ａの付勢力によってキャリパユニット２０全体が図４のＤ方向に移動して他方のブレーキパッド２３もブレーキディスク１９から離れ、非制動状態となる。
【００２５】
また、ユニットベース２４には、アーマチュア２６の上下両端と対向する位置に挿通孔２４ｄ，２４ｅが設けられ、この挿通孔２４ｄ，２４ｅにトルク調整バネ２９ａ，２９ｂと、当該調整バネ２９ａ，２９ｂを圧縮状態で保持するトルク調整ボルト３１ａ，３１ｂが取り付けられている。トルク調整バネ２９ａ，２９ｂによって、アーマチュア２６に常時、ブレーキディスク１９に向かう付勢力が与えられている。従って、励磁コイル２７のオフ時にはトルク調整バネ２９ａ，２９ｂの付勢力によってブレーキパッド２２はブレーキディスク１９に向かって図３のＡ方向に移動する。このとき、ブレーキパッド２２がブレーキディスク１９に当接すると、ブレーキディスク１９はＸ軸方向には変位しないため、隙間調整バネ２８ａの付勢力に打ち勝つトルク調整バネ２９ａ，２９ｂの付勢力によってキャリパユニット２０はブレーキパッド２２とは反対に図３のＢ方向に移動する。このようにして、図３に示されるようにブレーキパッド２２，２３がブレーキディスク１９を押し付ける制動状態となる。
【００２６】
キャリパユニット２０の支持ピン３５，３６に沿った移動は、フランジ部２４ａの上面にボルト３２ａ，３２ｂを介して固定された間隙調整板３２の先端が機台１７の支持部１７ａに係合することによって規制されている。これにより、キャリパユニット２０が機台１７から脱落するのを防止できる。
【００２７】
続いて、上述した支持ピン３５およびその周辺構成について説明する。支持ピン３６については、支持ピン３５と同一であるため説明を省略する。図３および図４に示すように、支持ピン３５の軸方向端面には雌ねじ３５ａが軸中心に設けられている。そして、支持ピン３５の先端部には、係合溝３５ｂが周方向に沿って形成されている。これに対し、機台１７の支持部１７ａにはストッパー３８がボルト３８ａによって着脱自在に取り付けられており、ストッパー３８の先端は支持ピン３５の係合溝３５ｂに係合している。これにより、支持ピン３５のＸ軸方向の移動を規制して支持ピン３５の脱落を防止している。
【００２８】
また、キャリパユニット２０をスライド可能に支持する支持ピン３５は、定期的にスライド支持孔Ｈ２および取付用貫通孔Ｈ５から引き抜いて清掃およびグリスの再塗布等を行う必要がある。
【００２９】
しかしながら、支持ピン３５に塗布されているグリスが経年劣化等している場合には、支持ピン３５と取付用貫通孔Ｈ５の隙間に劣化したグリスが固着して支持ピン３５が抜け難くなる場合がある。このような場合には、機台１７の取付用貫通孔Ｈ５から支持ピン３５を引き抜くのに大変な手間と労力を要する。そこで、本実施形態では、図５に示す支持ピン引き出し治具４０を用いて機台１７の取付用貫通孔Ｈ５から支持ピン３５を引き出し易くしている。
【００３０】
図５に示すように、支持ピン引き出し治具４０は、前述した支持ピン３５の頭部に設けられた雌ねじ３５ａに先端がネジ固定可能な引き出しネジ軸４１と、引き出しネジ軸４１がネジ結合される支持体４２とを含んでいる。支持体４２は、略六角柱状の長ナット４３と、長ナット４３によって引き出しネジ軸４１にネジ結合される支持部材４４とから構成されている。支持部材４４は、取付用貫通孔Ｈ５（図４参照）の周囲の支持部１７ａに底面４４ａを当接させた状態で配置可能な大きさに形成された略Ｌ字断面の支持板である。支持部材４４の上端には側板４５が溶接等によって取り付けられている。側板４５は、長ナット４３を固定するために支持体４２の上面を構成しており、引き出しネジ軸４１を挿通するための挿通孔４５ａが設けられている。
【００３１】
また、引き出しネジ軸４１のねじ先に蝶ネジ４６を取り付けてもよい。蝶ネジ４６は、引き出しネジ軸４１を支持ピン３５の雌ねじ３５ａに螺合させた状態で、支持ピン３５を押圧するようにねじ込むことで引き出しネジ軸４１と支持ピン３５を一体に固定することができる。これにより、長ナット４３が回転しても引き出しネジ軸４１が共回りせず作業を行い易くできる。
【００３２】
続いて、図６（ａ）および図６（ｂ）を用いて、引き出し治具４０を用いた支持ピン３５の引き出し方法について説明する。図６（ａ）は、機台１７の取付用貫通孔Ｈ５に挿通固定されている支持ピン３５に引き出し治具４０を取り付けた状態を示す図である。同図（ｂ）は、引き出し治具４０によって支持ピン３５を引き出す途中の状態を示す図である。
【００３３】
図６（ａ）および図６（ｂ）に示すように、引き出し治具４０は、ストッパー３８（図４参照）を機台１７の支持部１７ａから予め取り外した状態で、支持ピン３５に取り付けられる。これにより、支持体４２の支持部材４４を安定的に配置することができる。具体的には、引き出しネジ軸４１を支持ピン３５の雌ねじ３５ａ（図４参照）に螺合させてネジ固定する。そして、支持ピン３５を押圧するように蝶ネジ４６をねじ込んで、引き出しネジ軸４１の先端を支持ピン３５に一体固定する。この状態で、例えば、レンチ等の工具を用いて支持部材４４の側板４５を押圧するように長ナット４３を回転させ締め込む。この際、支持ピン３５は、上述したように、取付用貫通孔Ｈ５に堅く固着しているため長ナット４３を締め込んでも共回りしない。そして、支持部材４４の側板４５を長ナット４３が押圧するのに伴って、その反力が長ナット４３から引き出しネジ軸４１に作用し、図６（ｂ）に示すように、取付用貫通孔Ｈ５から引き出しネジ軸４１に固定された支持ピン３５が引き出される。
【００３４】
なお、機台１７の取付用貫通孔Ｈ５から支持ピン３５がある程度抜けると、取付用貫通孔Ｈ５と支持ピン３５との固着状態が弱まり、支持ピン３５が長ナット４３の回転方向に共回りする場合もある。このような状態になると、引き出し治具４０を支持ピン３５から取り外し、支持ピン３５を手で直接引っ張ることで簡単に引き抜くことができる。
【００３５】
支持ピン３５を引き抜いた後、支持ピン３５に付着している古いグリスを取り除いて新しいグリスを塗布後、取付用貫通孔Ｈ５に支持ピン３５を戻して点検作業が終了する。上記同様の手順で、支持ピン３６についても点検作業が行われる。
【００３６】
第１実施形態の支持ピン引き出し治具４０によれば、引き出しネジ軸４１の先端を支持ピン３５の雌ねじ３５ａにネジ固定した状態で、引き出しネジ軸４１を回転することによって支持ピン３５を機台１７から引き出すことができる。このため、巻上機１０の機台１７からキャリパユニット２０の支持ピン３５を簡単に引き出すことができる。
【００３７】
続いて、図７〜図１１を用いて、第１実施形態の変形例および第２、第３実施形態の引き出し治具について順次説明を行う。以下の説明において、第１実施形態の引き出し治具４０と同一の構成については同一符号を付して説明を適宜省略し、構成の異なる部分についてのみ説明を行うものとする。
【００３８】
図７は、第１実施形態の変形例である引き出し治具６０の断面図である。引き出し治具６０は、第１実施形態における支持体４２の代わりに、支持体６２を備えている。この支持体６２は、有底筒状の支持部材６４と、支持部材６４よりも外径が小さい有底筒状の筒状部６６とから構成されている。支持部材６４は、上面の軸中心を貫通する貫通孔６４ａが設けられている。一方、筒状部６６は、上面の軸中心を貫通するねじ孔６６ａが設けられている。そして、引き出しネジ軸４１は、支持部材６４の貫通孔６４ａに挿通された状態で筒状部６６のねじ孔６６ａに螺合されている。そのため、引き出しネジ軸４１を支持ピン３５の雌ねじ３５ａにネジ固定した状態で、筒状部６６を手で回転させて機台１７の支持部１７ａを押圧するように支持部材６４を締め付けることができる。この場合には、レンチ等の工具を用いて筒状部６６を回転させる必要が無いため、より簡便に支持ピン３５を引き出すことができる。
【００３９】
次に、図８を用いて本発明の第２実施形態である引き出し治具７０について説明する。図８は、本発明の第２実施形態である支持ピン引き出し治具７０の断面構成図である。引き出し治具７０は、前述した支持ピン３５の頭部に設けられた雌ねじ３５ａ（図４参照）と、雌ねじ３５ａに先端がネジ固定可能な引き出しネジ軸７１と、引き出しネジ軸７１が挿通される支持体７２とを含んでいる。引き出しネジ軸７１のねじ先には、蝶ネジ４６が螺合されていてもよい。支持体７２は、機台１７の支持部１７ａに底面７２ａが当接可能に形成され、上端部７２ｂが直角に折れ曲がり上面をなす略Ｌ字状の板状部材である。支持体７２の上端部７２ｂは、引き出しネジ軸７１が挿通された貫通孔Ｈ７が設けられている。
【００４０】
また、支持体７２の上端部７２ｂには、引き出しネジ軸７１を軸方向に移動させる引き出し機構８０が取り付けられている。この引き出し機構８０は、引き出しネジ軸７１の先端を支持ピン３５の雌ねじ３５ａ（図４参照）に螺合させた状態で、支持ピン３５を機台１７から引き出す機能を有している。引き出し機構８０は、引き出しネジ軸７１が挿通されたねじ孔８１ａが中央部に設けられたベース板８１と、ベース板８１の両端に一端がそれぞれ回転自在に連結された一対の引き出しアーム８２ａ，８２ｂとを有している。ベース板８１は、軸方向に移動可能に引き出しネジ軸７１に螺合されており、引き出しネジ軸７１を回転させることで支持体７２に接近または離間させることができる。
【００４１】
ベース板８１は、引き出しネジ軸７１に螺合されたナット７７をベース板８１に当接する方向に締め付けて共締めすることにより、引き出しネジ軸７１に固定できる。これにより、引き出しネジ軸７１に対するベース板８１の位置を調整して、引き出しネジ軸７１の引き出し方向である図８のＧ方向への移動量を設定できる。
【００４２】
引き出しアーム８２ａ，８２ｂは、回転可能に連結されたリンク８６ａ，８６ｂを介して支持体７２の上端部７２ｂの端面に回転自在に連結されている。一対の引き出しアーム８２ａ，８２ｂの先端部にはグリップ８４ａ，８４ｂがそれぞれ取り付けられており、手で握り易くしている。
【００４３】
第２実施形態の引き出し治具７０では、引き出しネジ軸７１に対する引き出し機構８０のベース板８１の位置を調整してからナット７７を共締めしてベース板８１を引き出しネジ軸７１に固定する。そして、上記第１実施形態と同様に、引き出しネジ軸７１を支持ピン３５に一体固定し、一対の引き出しアーム８２ａ，８２ｂを図８のＥ，Ｆの方向へ移動させることにより、引き出しネジ軸７１を引き出し方向である図８のＧの方向へ移動させることができる。これにより、上記第１実施形態における引き出し治具４０と同様の効果を得ることができる。
【００４４】
図９は、本発明の第２実施形態の変形例である引き出し治具９０を示す図である。図１０は、引き出しアーム１０２および引き出しネジ軸９１の構成を示す部分拡大図である。
【００４５】
図９および図１０に示すように、引き出し治具９０は、前述した支持ピン３５の頭部に設けられた雌ねじ３５ａ（図４参照）と、雌ねじ３５ａに先端がネジ固定可能な引き出しネジ軸９１と、引き出しネジ軸９１が挿通される支持体９３とを含んでいる。引き出しネジ軸９１は、ネジ軸部９１ａと、矩形の断面形状を有する棒状部９１ｂとから構成されている。ネジ軸部９１ａには、蝶ネジ４６が螺合されていてもよい。支持体９３は、機台１７の支持部１７ａに底面９３ａが当接可能に形成された略Ｌ字状の板状部材である。支持体９３の上端部には、上面を構成する側板９４が取り付けられている。この側板９４には、引き出しネジ軸９１の棒状部９１ｂよりも少しだけ大きいサイズに形成された矩形形状の貫通孔が設けられており、当該貫通孔に棒状部９１ｂが軸方向に移動可能に挿通されている。
【００４６】
支持体９３の上面には、引き出し機構１００が配置されている。この引き出し機構１００は、引き出しネジ軸９１に係合して引き出し方向である図９のＧ方向に引き出しネジ軸９１を引き出す機能を有している。引き出し機構１００は、引き出しアーム１０２と、引き出しアーム１０２を回転可能に支持する回転支持部１０４とを有している。
【００４７】
図１０に示すように、引き出しアーム１０２には、回転軸１０２ａを介して係止爪１０８が回転可能に取り付けられている。この回転軸１０２ａには、一端が引き出しアーム１０２の突出部１０２ｂに係止され、他端が係止爪１０８の突起部１０８ａに係止されたバネ１１０が軸支されている。そして、係止爪１０８は、バネ１１０によって引き出しネジ軸９１の方に常に付勢されている。また、引き出しアーム１０２には、係止爪１０８が付勢されて回転する方向にストッパーとして機能する突起１０２ｃも設けられている。これにより、係止爪１０８の脱落を防止している。一方、引き出しネジ軸９１における棒状部９１ｂの係止爪１０８と対向する位置には、係止爪１０８と噛み合うように歯列９２が軸方向に沿って設けられている。このため、引き出しネジ軸９１の先端を支持ピン３５の雌ねじ３５ａにネジ固定した状態で、引き出しアーム１０２を図９のＪ方向に回動させることにより、引き出しネジ軸９１を引き出し方向であるＧ方向に移動させて支持ピン３５を引き出すことができる。
【００４８】
図１１は、本発明の第３実施形態である引き出し治具１４０を示す図である。引き出し治具１４０は、前述した支持ピン３５の頭部に設けられた雌ねじ３５ａ（図４参照）と、雌ねじ３５ａに先端がネジ固定可能な引き出しラック１４２と、このラック１４２を長手方向にスライド移動可能に支持する支持体１４４とを含んでいる。ラック１４２の先端には、支持ピン３５の雌ねじ３５ａにネジ固定可能なネジ軸１４３が設けられている。このネジ軸１４３には上記第１実施形態と同様に、蝶ネジ４６を取り付けておいてもよい。支持体１４４は、長手方向と直交する断面が略Ｌ字状に形成され、上面を構成する側板１４６が上端に取り付けられ、機台１７の支持部１７ａに底面１４４ａが当接するように形成されている。側板１４６には、ガイド用の突出部１４６ａ，１４６ｂを有する略矩形状の挿通孔１４６ｃが設けられている。一方、ラック１４２には、長手方向に沿ってスライド溝１４２ａ，１４２ｂが両側面に設けられており、このスライド溝１４２ａ，１４２ｂが突出部１４６ａ，１４６ｂに係合することによって長手方向に移動可能に側板１４６に支持されている。
【００４９】
また、ラック１４２は、長手方向に沿って歯列１４２ｃが設けられている。一方、支持体１４４には、回転可能に支持されたピニオン１４７およびピニオン１４７の回転軸１４７ａに固定された回転用ハンドル１４８からなる回転機構１５０が設けられている。
【００５０】
第３実施形態の引き出し治具１４０では、上記第１実施形態と同様に、ネジ軸１４３を支持ピン３５の雌ねじ３５ａに固定した状態で、ピニオン１４７が図１１のＬ方向に回転するように回転用ハンドル１４８を回すことにより、ラック１４２を長手方向である図１１のＧ方向に移動させて、支持ピン３５を引き出すことができる。これにより、上記第１実施形態における引き出し治具４０と同様の効果を得ることができる。
【００５１】
なお、本発明に係る支持ピン引き出し治具によれば、上述した実施形態およびその変形例の構成に限定されるものではなく、本願の特許請求の範囲に記載された事項およびその均等の範囲内で種々の改良や変更が可能であることはいうまでもない。
【符号の説明】
【００５２】
１０  巻上機、１２  プーリ軸、１９  ブレーキディスク、１６，１７  機台、１７ａ，１７ｂ，１７ｃ，１７ｄ  支持部、１８  綱車、２０，２１  キャリパユニット、２２，２３  ブレーキパッド、２４  ユニットベース、２５  ブリッジ、３５，３６  支持ピン、３５ａ  雌ねじ、４０，６０，７０，９０，１４０  （支持ピン）引き出し治具、４１，７１  引き出しネジ軸、４２，６２，７２，９３，１４４  支持体、７２ａ，９３ａ，１４４ａ  底面、４３  長ナット、４４，６４  支持部材、４４ａ  底面、４５，９４，１４６  側板、４６  蝶ネジ、８０，１００  引き出し機構、１４２  （引き出し）ラック、１４２ｃ  歯列、１４７  ピニオン、１５０  回転機構、Ｍ  駆動用モータ、Ｒ  機械室。
【図１】
0006537457.tif 000002
【図２】
0006537457.tif 000003
【図３】
0006537457.tif 000004
【図４】
0006537457.tif 000005
【図５】
0006537457.tif 000006
【図６】
0006537457.tif 000007
【図７】
0006537457.tif 000008
【図８】
0006537457.tif 000009
【図９】
0006537457.tif 000010
【図１０】
0006537457.tif 000011
【図１１】
0006537457.tif 000012